(57)【要約】      （修正有）【課題】広巾のマットを載置することができ、折畳み展開動作も何ら支障なく行なえる折畳みベッドを提供する。【解決手段】上半身のマット体２Ａを載置しうる第１のベッド枠体３Ａと、下半身のマット体２Ｂを載置しうる第２のベッド枠体とを具え、第１のベッド枠体と第２のベッド枠体とを、枢結部４を介して、折曲がり可能に連結する折畳みベッドであって、マット体２は、マットフレーム６とマット７とからなり、かつベッド本体は支持台９に第１のベッド枠体の前部を枢支し、枢結部に中間脚１０を設けるとともに、支持台にマットフレームの側枠材を側方に越える位置まで突出する突出軸部１１と、その端部で前方にのびる側軸部１２とを介して上にのびかつ宮板１３を設けた立上げ部１４とを具え、折り畳まれることにより枢支点前方部が下に傾動する上半身のマット体との衝合を防止される宮部材１５を設ける。【選択図】  図１
2004305556.tif 000002
【特許請求の範囲】
【請求項１】
頭部を前に位置させ上半身を載せる上半身のマット体と、下半身を載せる下半身のマット体とを含むマット体を、前記上半身のマット体を載置しうる第１のベッド枠体と、前記下半身のマット体を載置しうる第２のベッド枠体とを具え、かつ第１のベッド枠体の後端部と、第２のベッド枠体の前端部とを、枢結部を介して、該第１のベッド枠体と第２のベッド枠体とが水平展開状態と逆Ｖ字状態との間で折曲がり可能に連結するベッド本体に載置する折畳みベッドであって、
各マット体は、略矩形のマットフレームと、このマットフレーム上に配されるマットとからなり、
かつベッド本体は、両端部に床面走行用の転動ローラを具える支持台に前記第１のベッド枠体の前部を枢支し、かつ前記枢結部に床面で受ける中間脚を設けるとともに、
前記支持台に、前記マットフレームの側枠材を側方に越える位置まで突出する突出軸部と、その端部で前方にのびる側軸部とを介して上にのびかつ宮板を設けた立上げ部とを具え、折り畳まれることにより枢支点前方部が下に傾動する前記上半身のマット体との衝合を防止される宮部材を設けたことを特徴とする折畳みベッド。
【請求項２】
前記支持台は前記転動ローラを有する支持軸部と、この支持軸部から立ち上がる支脚部とを具え、かつ両側に一対が配されるとともに、前記第１のベッド枠体は、前記支脚部間で枢支されることを特徴とする請求項１記載の折畳みベッド。
【請求項３】
前記マットフレームは、前記側枠材の外面間の長さである巾が、前記ベッド枠体の巾よりも大であることを特徴とする請求項１又は２記載の折畳みベッド。
【請求項４】
前記宮板は、前記ベッド枠体よりも広巾であることを特徴とする請求項１〜３のいずれかに記載の折畳みベッド。
【請求項５】
前記第２のベッド枠体は、その後端部に、下端に転動ローラを設けた脚部材を一体に設けたことを特徴とする請求項１〜４のいずれかに記載の折畳みベッド。
【請求項６】
前記第２のベッド枠体は、両端部に床面走行用の転動ローラを具える支持台に後部を枢支したことを特徴とする請求項１〜４のいずれかに記載の折畳みベッド。
【請求項７】
前記宮板は、開口部と、その前部に設けられた棚部を具えることを特徴とする請求項１〜６のいずれかに記載の折畳みベッド。
【発明の詳細な説明】
【０００１】
【発明の属する技術分野】
本発明は、多様化したニーズに対応して広巾のマット体を使用することができ、かつ折畳み展開動作が支障なく行なえる折畳みベッドに関する。
【０００２】
【従来の技術】
一対のベッド半体を連結して、逆Ｖ字状に山形で折畳みすることにより、例えば布団などの寝具を敷いたまま収納を可能とする折畳みベッドが知られている。しかし、この種折畳みベッドでは、水平展開状態に於て、ベッド半体の前後端部に腰掛けると、ベッド半体が不意に揺動して、勢い良く逆Ｖ字状に折り畳まれて人がベッドから落ちてしまうことがあり、安全上問題があった。
【０００３】
そこで、本出願人は、図１２に示すように、上半身を載せる前ベッド半体ａと、下半身を載せる後ベッド半体ｂとを、逆Ｖ字状に折畳み自在として枢結した折畳式ベッドに於て、床面上を転動するローラ群ｃを有する自立支持台ｄに上記前ベッド半体ａの前端寄りを揺動可能に枢支し、該自立支持台ｄが、水平展開状態に於て上記前ベッド半体ａの前端縁部ａ１の上方を覆う腰掛防止兼用飾り枠ｅを有する折畳みベッドを提案している（特許文献１参照）。これにより水平展開状態に於て、腰掛防止兼用飾り枠ｅが前ベッド半体ａの前端縁部ａ１の上方を覆うため、前端縁部ａ１に人が腰掛けることが不可能となり、前端縁部ａ１に荷重が加わることが無く、水平展開状態から不意に折畳まれてしまうことを防止でき、安全性を確保することができた。
【０００４】
【特許文献１】
特開平１１−２７６３０５号公報（請求項１、図１）
【発明が解決しようとする課題】
近年折畳みベッドに対するニーズの多様化により、広巾のマット体を備えた折畳みベッドの需要がある。しかし、図１２に示す折畳みベッドに、広巾のマット体ｆを取付けると、折畳み動作の際に、自立支持台ｄより前方部分のマット体ｆが、腰掛防止兼用飾り枠ｅの水平部ｅ１と干渉して折畳みが不可能であり、従ってマット体ｆの巾を広くすることができない。また、広巾のマット体寸法に合わせて設計した大型サイズの折畳みベッドを新たに生産することも考えられるが、コストが増大する上に全体の重量が重くなる。
【０００５】
本発明は、以上のような問題点に鑑み案出なされたもので、多様化したニーズに対応して広巾のマット体を使用することができ、折畳み展開動作が支障なく行なえる折畳みベッドの提供を目的とする。
【０００６】
【課題を解決するための手段】
本発明のうち請求項１記載の発明は、頭部を前に位置させ上半身を載せる上半身のマット体と、下半身を載せる下半身のマット体とを含むマット体を、前記上半身のマット体を載置しうる第１のベッド枠体と、前記下半身のマット体を載置しうる第２のベッド枠体とを具え、かつ第１のベッド枠体の後端部と、第２のベッド枠体の前端部とを、枢結部を介して、該第１のベッド枠体と第２のベッド枠体とが水平展開状態と逆Ｖ字状態との間で折曲がり可能に連結するベッド本体に載置する折畳みベッドであって、各マット体は、略矩形のマットフレームと、このマットフレーム上に配されるマットとからなり、かつベッド本体は、両端部に床面走行用の転動ローラを具える支持台に前記第１のベッド枠体の前部を枢支し、かつ前記枢結部に床面で受ける中間脚を設けるとともに、前記支持台に、前記マットフレームの側枠材を側方に越える位置まで突出する突出軸部と、その端部で前方にのびる側軸部とを介して上にのびかつ宮板を設けた立上げ部とを具え、折り畳まれることにより枢支点前方部が下に傾動する前記上半身のマット体との衝合を防止される宮部材を設けたことを特徴とする。これにより、需要に合った広巾のマット体を用いることができるうえ、折畳み展開動作も何ら支障なく行なえる。
【０００７】
請求項２記載の発明は、支持台は前記転動ローラを有する支持軸部と、この支持軸部から立ち上がる支脚部とを具え、かつ両側に一対が配されるとともに、前記第１のベッド枠体は、前記支脚部間で枢支されることを特徴とする。
【０００８】
請求項３記載の発明は、マットフレームは、前記側枠材の外面間の長さである巾が、前記ベッド枠体の巾よりも大であることを特徴とし、請求項４記載の発明は、宮板は、前記ベッド枠体よりも広巾であることを特徴とする。
【０００９】
請求項５記載の発明は、第２のベッド枠体は、その後端部に、下端に転動ローラを設けた脚部材を一体に設け、請求項６記載の発明は、第２のベッド枠体は、両端部に床面走行用の転動ローラを具える支持台に後部を枢支し、また請求項７記載の発明は、宮板は、開口部と、その前部に設けられた棚部を具えることを特徴とする。
【００１０】
【発明の実施の形態】
以下本発明の実施の一形態を図面に基づき説明する。図１は本実施形態の折畳みベッド１の展開状態の斜視図、図２は平面図、図３は側面図を各々示している。図１において折畳みベッド１は、マット体２と、このマット体２を載置するベッド本体５と、このベッド本体５を支える支持台９と、宮部材１５とを具える。
【００１１】
前記マット体２は、頭部を前に位置させ上半身を載せる上半身のマット体２Ａと、下半身を載せる下半身のマット体２Ｂとを含み、各マット体２Ａ、２Ｂは略矩形のマットフレーム６とその上に配されるマット７とからなり、略同形に形成される。
【００１２】
前記マットフレーム６は、図４に示すように、パイプ材で形成され、側枠材６ａを含む略矩形の外周枠に補強枠３１を配し、さらにネット体２２を張設することにより構成されたものを例示する。外周枠と補強枠３１により全体としての強度が得られて、変形を生じることがなく、ネット体２２により、体重を分散して支持することができるとともに、クッション性を与え快適性を高めうる。
【００１３】
マット７は前記マットフレーム６の上に一体に形成され、例えば１０〜３０ｃｍ程度の厚さの各種発泡体等を用い、その表面は、布、ビニル等で覆われる。
【００１４】
前記ベッド本体５は、第１のベッド枠体３Ａの後端部と第２のベッド枠体３Ｂの前端部を、枢結部４を介して連結して形成される。
【００１５】
第１、第２のベッド枠体３Ａ、３Ｂは、本例では、パイプ材等からなり前後方向に伸びる補強材２３ａを配した略矩形の周囲枠２３を含み構成されたものを例示する。前記第１、第２のベッド枠体３Ａ、３Ｂには、前記上半身、下半身のマット体２Ａ、２Ｂが各々載置され、マット体２のマットフレーム６は、周囲枠２３、補強材２３ａにビス止め等により固定される。なお本例では、図２に示すように、マットフレーム６の巾Ｗ１（側枠材６ａ、６ａの外面間の長さ）が、ベッド枠体３の巾Ｗ２よりも広いマット体２を載置している。また図５に示すように、第１のベッド枠体３Ａの後端側、第２のベッド枠体３Ｂの前端側には、前記ベッド枠体３の側枠部２３ｂが延長して突出する突出部２３ｄが形成され、第１、第２のベッド枠体３Ａ、３Ｂの突出部２３ｄ、２３ｄは間隔を隔てて向き合う。
【００１６】
前記枢結部４は、前記向き合う突出部２３ｄ、２３ｄを枢着するベッド両側の連結金具２４、２４と、その間を継ぐベッド巾方向に伸びる結合軸２５を有する。前記連結金具２４は、本例では、図５に示すように、一対の側片２４ａ、２４ａを底片２４ｂで継いだ断面略コ状をなし、前記側片２４ａ、２４ａ間で突出部２３ｄ、２３ｄを各々枢着し、かつ底片２４ｂはその前後端を切り欠き、該突出部２３ｄ、２３ｄを下方に折り曲げるための切欠き部２４ｃを設けたものが例示される。これにより、前記第１のベッド枠体３Ａと第２のベッド枠体３Ｂは水平展開状態と逆Ｖ字状態との間で折曲がり可能に連結される。また連結金具２４はカバー２６で覆うことにより安全性と見栄えを高めうる。
【００１７】
また前記枢結部４には、結合軸２５から垂下形成された中間脚１０が設けられる。該中間脚１０は、本例では、図１に示すように、結合軸２５から垂下する一対の支柱部１０ａ、１０ａと、この支持柱１０ａの下端を継ぎかつ中間部に上に向って凸に湾曲する隆起部１０ｂを有する脚台枠部１０ｃとから構成されたものを例示する。このような中間脚１０は、第１、第２ののベッド枠体３Ａ、３Ｂの間に配され、脚台枠部１０ｃが床面Ｆに当接することにより、ベッドの水平展開状態の安定性を高めるのに役立つ。
【００１８】
また、本例では、図１、３に示すように、前記中間脚１０の隆起部１０ｂと第１のベッド枠体３Ａの前端部、及び第２のベッド枠体３Ｂの後端部の間に引きバネ等の弾性材４０をそれぞれ架け渡している。この弾性材４０は第１、第２のベッド枠体３Ａ、３Ｂに常時逆Ｖ字状態へと折畳む向きに付勢している。これにより折畳みする際の持上げ力の軽減と、逆Ｖ字状態から展開する際の加速度的な展開が緩和され、使い勝手を向上しうる。
【００１９】
前記枢結部４で連結された第２のベッド枠体３Ｂは、その後端部に、下端にキャスターからなる転動ローラ８を設け、ベッド本体５の前後方向の中心軸Ｘに対して対称に配された垂直で一対の脚部材１８、１８が一体に取付けられる。また、両側の脚部材１８、１８の上部は門方に連続して手摺部４１を形成している。この手摺部４１は、折畳みベッド１を移動する際等に持ち手として便利に使用でき、足元の布団の滑り止めとして機能し、安眠を助ける。また第２のベッド枠体３Ｂの後端部中央に補助ローラ３６が突設されたものを例示している。図８に示すように、逆Ｖ字状態における第２のベッド枠体３Ｂは、補助ローラ３６により、床面Ｆに安定して支持される。
【００２０】
前記枢結部４で連結された第１のベッド枠体３Ａは、その前部が、両側に配置された一対の支持台９に枢支される。なお、本明細書で第１のベッド枠体３Ａの前部とは、第１のベッド枠体３の前端縁から少し後寄りの部分をいう。
【００２１】
前記支持台９は、図６、７に示すように、支持軸部１６と支脚部１７とを具える。前記支持軸部１６は両端部に床面走行用のキャスターからなる転動ローラ８、８を具えた前後方向に伸びる水平杆状をなす。また支脚部１７は、本例では、表面がベッドの側方を向いた縦長の矩形板状をなし、下端部が前記支持軸部１６に固定されることにより支持軸部１６の略中央から逆Ｔ字状に立ち上がる。前記支脚部１７の上端部の前寄りに設けた枢支孔２７と、前記第１のベッド枠体３Ａの側枠部２３ｂの枢支受孔２８とに、ボルトからなる枢支軸体２９が挿通することにより、前記第１のベッド枠体３Ａは、枢支点１９において、両側の支脚部１７、１７間で枢支される。このように、ベッド枠体３Ａの前部は、支持軸部１６の前後両端部に転動ローラ８を具えた支持台９間で枢支されるため、安定した支持がなされる。
【００２２】
また支脚部１７の上端部の後寄りに設けたキー孔３３と、前記第１のベッド枠体３Ａの側枠部２３ｂに形成され展開状態で前記キー孔３３と同芯となるキー受孔３５ａに、ピン３４を挿通することにより、ベッド本体５の展開状態がロックされ、不意に折れ曲ることが防止される。さらに、図９に示すように、第２のベッド枠体３Ｂの側枠部２３ｂに形成され逆Ｖ字状態で前記キー孔３３と同芯となるキー受孔３５ｂにピン３４を挿通することにより逆Ｖ字状態が維持される。なおピン３４は吊下げ具３０を用いて適宜吊下される。
【００２３】
さらに、両側の支持台９、９は、その支脚部１７、１７間がベッドの巾方向に伸びる継ぎ杆４２で連結されている。これにより、両側の支持台９、９が一体化されるため、該支持台９の側方への倒れがなく、折畳み展開動作時の動作、転動ローラ８による移動等が円滑となる。
【００２４】
前記宮部材１５は、図４、６に示すように、前記支持台９に設けられ、突出軸部１１と、側軸部１２と、立上げ部１４とを具える。前記突出軸部１１は、前記両側の支持台９の支脚部１７の外側面に設けられ、図２に示すように、その軸長Ｌ１は、平面的に見て、前記支持台９の支脚部１７の外側面からマットフレーム６の側枠材６ａの外側面までの長さＬ２よりも大きく形成されている。また本例では、図６に示すように、前記突出軸部１１と、側軸部１２とは、Ｌ字棒状に一体に形成され、かつ突出軸部１１の基端部に基板３７を具えたものを例示する。該基板３７が支脚部１７の側面に固定された突出軸部１１は、図２に示すように、支脚部１７の外側面から、平面的に見て前記マットフレーム６の側枠材６ａを越える位置まで水平に突出する。そしてその先端からは、側軸部１２が前記マットフレーム６の側枠材６ａの外側で前方に向けて伸び、その先端がマットフレーム６の前端縁の延長線Ｙを越える位置に到る長さに形成されている。
【００２５】
前記立上げ部１４は、本例では、前記両側の側軸部１２、１２の前端部から上に伸びる一対の略垂直な棒状をなし、この間に宮板１３を設ける。宮板１３は、その両側部が、前記立上げ部１４の支持板３９、３９に各々固定されることにより、前記第１のベッド枠体３Ａの前端部に配される。本例の宮板１３は、ベッド枠体３よりも広巾のマット体２の前端部の全巾を覆うため、前記ベッド枠体３よりも広巾に形成されている。
【００２６】
図６に示すように、本例では、突出軸部１１と、側軸部１２と、立上げ部１４とが一体の折れ曲がり棒で形成されている。これにより、片持ち状態で前記支持台９に取付けられる宮板１３が安定して支持され、見栄えも良い。
【００２７】
このように、マット７が広巾で側方に張出し部があっても、宮部材１５は、マットフレーム６の側枠材６ａを側方に越える位置まで突出する突出軸部１１と、該突出軸部１１の端部で前方に伸びる側軸部１２とを具えるため、図２に示すように、折り畳まれることにより下に傾動する上半身のマット体２Ａの前記枢支点１９より前方の部分が、宮部材１５と衝合することがなく、図３、８に示すように、水平展開状態と逆Ｖ字状態との間での折れ曲りが可能である。従って、需要に適合した広巾のマット体を載置することができるうえ、折畳み展開動作も何ら支障なく行なえる。さらに、宮部材、マット体以外は、他の折畳みベッドと同じ構造とすることが可能であり、部材が共通化され、コストを高めることなく、広巾のマット体を具えた折畳みベッドを生産することができる。
【００２８】
また、図３に鎖線で示すように、第１のベッド枠体３Ａに載置される上半身のマット体２は、その前端部寄りでマットフレーム６が前端部が起き上がるように折れ曲り、該折曲り部３２は周知の角度調整維持機構（図示せず）により、角度可変に支持される。
【００２９】
図１０、１１は異なる実施態様を示し、前記と同様の構成は同じ符号を付して説明を省略する。本例の折畳みベッド１では、宮部材１５の突出軸部１１は、支持台９の支脚部１７側面に固定され側方に突出する上下に薄い短角棒状をなす。該支持台９の先端面から前方に向けて伸びる側軸部１２が設けられ、前記突出軸部１１の先端部と、側軸部１２は平面的に見て、マットフレーム６の側枠材６ａの側方外側に位置している。
【００３０】
側軸部１２とその前端から立ち上がる立上げ部１４は、宮板１３の略上端部までの高さを具え、前記宮板１３の両端部を固着具４３で固定している。本例では、側軸部１２と立上げ部１４はＬ字棒状に一体に形成される。
【００３１】
また、本例では、宮板１３は略中央に形成された開口部２０と、該開口部２０の前部に設けられた棚部２１を有する。前記棚部２１は、本例では、棚板２１ａ、背板２１ｂ、側板２１ｃ、上板２１ｄよりなる箱状のものが例示されているが、棚板２１ａのみからなるものや、上板２１ｄを欠くもの等各種構成の変形が可能である。また開口部２０は、本例では、矩形状をなすが、楕円形状、三角形状等の変形も可能である。このように、棚部２１はベッド側から開口部２０を介して、時計、携帯電話、本等の小物を置くことができ、しかもその小物は前記開口部２０を通してベッド側から出し入れが容易であり、便利に使用することができる。
【００３２】
また、本例では、図１０に示すように、第２のベッド枠体３Ｂの後部が、両端部に床面走行用の転動ローラ８、８を有する支持軸部１６と支脚部１７とを具える支持台９Ｂに枢支されている。また、前記第２のベッド枠体３Ｂを枢支する支持台９Ｂは側枠部２３ｂの内側面に配置され、ベッド本体５が逆Ｖ字状態に折れ曲る時、側枠部２３ｂの外側面で第１のベッド枠体３Ａを枢支する支持台９Ａとの干渉を回避している。このように、本例では、第１のベッド枠体３Ａの前部、第２のベッド枠体３Ｂの後部が、各々両端部に床面走行用の転動ローラ８、８を具える支持台９で枢支されるため、水平展開状態は勿論、逆Ｖ字状態、或いは折れ曲り途中の動作状態で、安定した支持がなされる。
【００３３】
【発明の効果】
上述したように本発明は、宮部材はマットフレームの側枠材を側方に越える位置まで突出する突出軸部と、該突出軸部の端部で前方に伸びる側軸部とを具えるため、折り畳まれることにより枢支点前方が下に傾動する上半身のマット体と宮部材の衝合が防止され、需要に合った広巾のマット体を載置することができるうえ、折畳み展開動作も何ら支障なく行なえる。さらに、宮部材、マット体以外は、他の折畳みベッドと同じ構造とすることが可能であり、コストを高めることなく、広巾のマット体を具えた折畳みベッドを生産することが可能である。
【図面の簡単な説明】
【図１】本発明の一実施形態を例示するベッドの全体斜視図である。
【図２】その平面図である。
【図３】その側面図である。
【図４】その要部を示す斜視図である。
【図５】第１、第２のベッド枠体の連結状態を例示する斜視図である。
【図６】第１のベッド枠体の支持台への枢支状態を例示する分解斜視図である。
【図７】その平面図である。
【図８】折畳み状態を例示する側面図である。
【図９】その要部を示す斜視図である。
【図１０】他の実施形態を例示する側面図である。
【図１１】その要部斜視図である。
【図１２】従来の折畳みベッドを例示する斜視図である。
【符号の説明】
１      折畳みベッド
２      マット体
２Ａ    上半身のマット体
２Ｂ    下半身のマット体
３      ベッド枠体
３Ａ    第１のベッド枠体
３Ｂ    第２のベッド枠体
４      枢結部
５      ベッド本体
６      マットフレーム
６ａ    側枠材
７      マット
８      転動ローラ
９      支持台
１０      中間脚
１１      突出軸部
１２      側軸部
１３      宮板
１４      立上げ部
１５      宮部材
１６      支持軸部
１７      支脚部
１８      脚部材
１９      枢支点
２０      開口部
２１      棚部
【図１】
2004305556.tif 000003
【図２】
2004305556.tif 000004
【図３】
2004305556.tif 000005
【図４】
2004305556.tif 000006
【図５】
2004305556.tif 000007
【図６】
2004305556.tif 000008
【図７】
2004305556.tif 000009
【図８】
2004305556.tif 000010
【図９】
2004305556.tif 000011
【図１０】
2004305556.tif 000012
【図１１】
2004305556.tif 000013
【図１２】
2004305556.tif 000014